(57)【要約】【課題】視認性が必要とされるＯＳＤ画像の視認性の低下を抑制しつつ、ＯＳＤ画像を含む映像の画質を適切に調整する。【解決手段】ディスプレイ装置２００は、所定映像にＯＳＤ画像を重畳させて得られる重畳映像を表す映像信号ＩＡをＳＴＢ１００から受信し、該受信した映像信号ＩＡで表される重畳映像を表示部２０１に表示させる表示制御部２０３５と、ＯＳＤ画像の種類を示すＯＳＤ種類情報をＳＴＢ１００から取得するＯＳＤ種類情報取得部２０３２とを備え、表示制御部２０３５は、上記取得したＯＳＤ種類情報に応じた画質で、重畳映像を表示部２０１に表示させる。【選択図】図１
2013224984.tif 000002
【特許請求の範囲】
【請求項１】
所定映像にＯＳＤ画像を重畳させて得られる重畳映像を表す映像信号を送信装置から受信し、該受信した映像信号で表される重畳映像を表示部に表示させる表示制御手段を備える表示装置であって、上記ＯＳＤ画像の種類を示すＯＳＤ種類情報を上記送信装置から取得する取得手段を備え、
上記表示制御手段は、上記取得手段が取得したＯＳＤ種類情報に応じた画質で、上記重畳映像を上記表示部に表示させることを特徴とする表示装置。
【請求項２】
上記重畳映像の画質を調整するための１または複数の画質調整処理を実行可能な画質調整手段と、
上記取得手段が取得したＯＳＤ種類情報に応じて、上記画質調整処理のそれぞれについて上記画質調整手段に実行させるか否かを指示する調整指示手段とをさらに備え、
上記画質調整手段は、上記調整指示手段により実行が指示された画質調整処理のみを実行することを特徴とする請求項１に記載の表示装置。
【請求項３】
上記取得手段により取得したＯＳＤ種類情報が、上記ＯＳＤ画像が、上記表示部の表示領域の全体に表示されるものであることを示すとき、
上記調整指示手段は、上記画質調整処理のいずれも実行させないことを上記画質調整手段に指示することを特徴とする請求項２に記載の表示装置。
【請求項４】
上記取得手段により取得したＯＳＤ種類情報が、上記ＯＳＤ画像が、上記表示部の表示領域の一部に表示され、上記表示部の表示領域に対する当該ＯＳＤ画像の表示領域の割合が所定値を超えるものであることを示すとき、
上記調整指示手段は、上記画質調整処理のうち予め定められた一部のみを実行させることを上記画質調整手段に指示することを特徴とする請求項２または３に記載の表示装置。
【請求項５】
上記取得手段により取得したＯＳＤ種類情報が、上記ＯＳＤ画像が、上記表示部の表示領域に対する当該ＯＳＤ画像の表示領域の割合が所定値以下のものであることを示すとき、
上記調整指示手段は、上記画質調整処理の全てを実行させることを上記画質調整手段に指示することを特徴とする請求項２から４のいずれか１項に記載の表示装置。
【請求項６】
所定映像にＯＳＤ画像を重畳させて得られる重畳映像を表示する表示部を備える表示装置に、上記重畳映像を表す映像信号を送信する送信装置であって、
上記重畳映像を表す映像信号を生成する映像信号生成手段と、
上記映像信号生成手段が生成した映像信号で表わされる上記重畳映像に含まれる上記ＯＳＤ画像の種類を示すＯＳＤ種類情報を上記表示装置に送信する送信手段とを備え、
上記表示装置に、上記送信されたＯＳＤ種類情報に応じた画質で、上記重畳映像を上記表示部に表示させることを特徴とする送信装置。
【請求項７】
上記送信手段は、上記重畳映像に含まれる上記ＯＳＤ画像の種類が変わる度に、上記ＯＳＤ種類情報を上記表示装置に送信することを特徴とする請求項６に記載の送信装置。
【請求項８】
上記送信手段は、所定周期で、上記ＯＳＤ種類情報を上記表示装置に送信することを特徴とする請求項６に記載の送信装置。
【請求項９】
所定映像にＯＳＤ画像を重畳させて得られる重畳映像を表す映像信号を送信装置から受信し、該受信した映像信号で表される重畳映像を表示部に表示させる表示制御ステップを含む表示装置の制御方法であって、
上記ＯＳＤ画像の種類を示すＯＳＤ種類情報を上記送信装置から取得する取得ステップを含み、
上記表示制御ステップは、上記取得ステップにて取得したＯＳＤ種類情報に応じた画質で、上記重畳映像を上記表示部に表示させることを特徴とする表示装置の制御方法。
【請求項１０】
所定映像にＯＳＤ画像を重畳させて得られる重畳映像を表示する表示部を備える表示装置に、上記重畳映像を表す映像信号を送信する送信装置の制御方法であって、
上記重畳映像を表す映像信号を生成する映像信号生成ステップと、
上記映像信号生成ステップにて生成した映像信号で表わされる上記重畳映像に含まれる上記ＯＳＤ画像の種類を示すＯＳＤ種類情報を上記表示装置に送信する送信ステップとを含み、
上記表示装置に、上記送信されたＯＳＤ種類情報に応じた画質で、上記重畳映像を上記表示部に表示させることを特徴とする送信装置の制御方法。
【請求項１１】
請求項１に記載の表示装置と、請求項６に記載の送信装置とを含む表示システム。
【請求項１２】
請求項１から５のいずれか１項に記載の表示装置が備えるコンピュータを動作させる制御プログラムであって、上記コンピュータを上記の各手段として機能させるための制御プログラム。
【請求項１３】
請求項６から８のいずれか１項に記載の送信装置が備えるコンピュータを動作させる制御プログラムであって、上記コンピュータを上記の各手段として機能させるための制御プログラム。
【請求項１４】
請求項１２に記載の制御プログラムを記録したコンピュータ読み取り可能な記録媒体。
【請求項１５】
請求項１３に記載の制御プログラムを記録したコンピュータ読み取り可能な記録媒体。
【発明の詳細な説明】
【技術分野】
【０００１】
本発明は、ＯＳＤ（On Screen Display）画像を含む映像を表示する表示装置等に関する。
【背景技術】
【０００２】
近年、復調回路を含むチューナであるＳＴＢ（Set Top Box）と、復調された映像を表示するディスプレイ部とを分離したセパレート型のテレビシステムが広く普及している。このようなテレビシステムにおいては、通常、復調された映像をそのままディスプレイ部に表示するのではなく、高画質化するための様々な画質調整処理が行われている。
【０００３】
このような画質調整処理の中には、ディスプレイ部でのパネル制御やバックライト制御も含まれることから、画質調整処理はディスプレイ部にて一括して行なうように構成されていることが多い。なお、ＳＴＢからパネル制御やバックライト制御を指示する構成も可能ではあるが、この場合、ＳＴＢとディスプレイ部との間で制御用の通信が必要となり、通信時間に起因して操作性の低下や動作遅延を招くことから、好ましい構成ではない。
【０００４】
画質調整処理をディスプレイ部にて一括して行なう場合、ＳＴＢが映像に重畳させるＯＳＤ画像等のＧＵＩ（Graphical User Interface）に対しても画質調整が施されることとなる。しかしながら、ＯＳＤ画像等に表示されるテキストデータに対しては、画質調整処理を施さない状態が最も視認性が良い。そのため、映像を高画質化するための画質調整処理をＯＳＤ画像に対してそのまま適用すると、ＯＳＤ画像の視認性が低下したり、また、ＯＳＤ画像の色調が変化することにより、適切な情報提示ができなくなる可能性がある。
【０００５】
これに対して、映像信号とＯＳＤ信号とを別々に画質調整するための技術が特許文献１に開示されている。特許文献１には、ビット数の多いＯＳＤ信号と、ビット数の少ないＯＳＤ信号とを別々の出力手段によって出力し、上記ビット数の多いＯＳＤ信号は映像信号と混合して画質調整を行い、上記ビット数の少ないＯＳＤ信号は、回路規模の小さいＤＡ変換器を利用し、単独に画質調整を行い、両者の画質調整後の信号を重畳して表示することで、色数が少ないＯＳＤ信号についてはＤＡ変換器の回路規模を小さくして且つＯＳＤ信号単独での画質調整を行なうことを可能とする映像信号処理装置が記載されている。
【先行技術文献】
【特許文献】
【０００６】
【特許文献１】特開２００９−１７３０７号公報（２００９年１月２２日公開）
【発明の概要】
【発明が解決しようとする課題】
【０００７】
しかしながら、ＯＳＤ信号と映像信号とに対し、それぞれ独立の画質調整を適用する構成は、回路の複雑性や処理負荷を考慮すると現実的ではない。特許文献１に記載の技術では、映像信号とＯＳＤ信号とで回路構成を分ける必要があり、既存の回路構成を有する表示装置にはこの技術を適用することができない。また、ＳＴＢとディスプレイ部とが分離したセパレート型のテレビシステムでは、ディスプレイ部に送られるＳＴＢの出力信号には映像信号とＯＳＤ信号とが合成されており、ＳＴＢの出力信号を映像信号とＯＳＤ信号とに分離することができない。そのため、上記のようなセパレート型のテレビシステムに対して特許文献１に記載の技術を適用することは困難である。
【０００８】
本発明は上記の問題点に鑑みてなされたものであり、その目的は、視認性が必要とされるＯＳＤ画像の視認性の低下を抑制しつつ、ＯＳＤ画像を含む映像の画質を適切に調整する表示装置等を提供することにある。
【課題を解決するための手段】
【０００９】
上記の課題を解決するために、本発明に係る表示装置は、所定映像にＯＳＤ画像を重畳させて得られる重畳映像を表す映像信号を送信装置から受信し、該受信した映像信号で表される重畳映像を表示部に表示させる表示制御手段を備える表示装置であって、上記ＯＳＤ画像の種類を示すＯＳＤ種類情報を上記送信装置から取得する取得手段を備え、上記表示制御手段は、上記取得手段が取得したＯＳＤ種類情報に応じた画質で、上記重畳映像を上記表示部に表示させることを特徴としている。
【００１０】
また、本発明に係る表示装置の制御方法は、所定映像にＯＳＤ画像を重畳させて得られる重畳映像を表す映像信号を送信装置から受信し、該受信した映像信号で表される重畳映像を表示部に表示させる表示制御ステップを含む表示装置の制御方法であって、上記ＯＳＤ画像の種類を示すＯＳＤ種類情報を上記送信装置から取得する取得ステップを含み、上記表示制御ステップは、上記取得ステップにて取得したＯＳＤ種類情報に応じた画質で、上記重畳映像を上記表示部に表示させることを特徴としている。
【００１１】
上記構成によれば、送信装置から取得したＯＳＤ画像の種類に応じた画質で、重畳映像を表示部に表示させる。
【００１２】
ここで、ＯＳＤ画像には、例えば、メニュー画面、音量調節バー、チャンネルコールなどのように、表示サイズの異なる複数の種類が存在し、ＯＳＤ画像の種類に応じて、表示部の表示領域に対するＯＳＤ画像の表示領域の割合が定まる。そして、ＯＳＤ画像の表示領域の割合が大きいときは、ＯＳＤ画像の視認性を低下させないためには画質を調整しないことが好ましく、また、ＯＳＤ画像の表示領域の割合が小さいときは、ＯＳＤ画像の視認性よりも画質を優先することが好ましい。
【００１３】
そこで、例えば、ＯＳＤ画像の種類が、表示領域の割合が大きいものであるときは、表示装置は、画質を調整せずに重畳映像を表示部に表示させる。また、例えば、ＯＳＤ画像の種類が、表示領域の割合が小さいものであるときは、表示装置は、画質を高めるように調整した上で重畳映像を表示部に表示させる。
【００１４】
このように、ＯＳＤ画像の種類に応じた画質で重畳映像を表示部に表示させることにより、視認性が必要とされるＯＳＤ画像の視認性の低下を抑制しつつ、ＯＳＤ画像を含む映像の画質を適切に調整することができる。
【００１５】
さらに、本発明に係る表示装置は、上記重畳映像の画質を調整するための１または複数の画質調整処理を実行可能な画質調整手段と、上記取得手段が取得したＯＳＤ種類情報に応じて、上記画質調整処理のそれぞれについて上記画質調整手段に実行させるか否かを指示する調整指示手段とを備え、上記画質調整手段は、上記調整指示手段により実行が指示された画質調整処理のみを実行することが好ましい。
【００１６】
上記構成によれば、取得したＯＳＤ種類情報に応じて、１または複数の画質調整処理のそれぞれについて、画質調整手段に実行させるか否かを指示する。そして、実行が指示された画質調整処理のみを実行する。
【００１７】
これにより、ＯＳＤ画像の種類に応じて、１または複数の画質調整処理のうち、実行が指示された画質調整処理のみが施された重畳映像が表示部に表示される。
【００１８】
従って、表示装置は、ＯＳＤ種類情報に応じて、例えば、ＯＳＤ画像の視認性のみを考慮すべき状況において実行する画質調整処理と、ＯＳＤ画像の視認性と映像の画質との両方を考慮すべき状況において実行する画質調整処理とを切り替えることができる。
【００１９】
さらに、本発明に係る表示装置は、上記取得手段により取得したＯＳＤ種類情報が、上記ＯＳＤ画像が、上記表示部の表示領域の全体に表示されるものであることを示すとき、上記調整指示手段は、上記画質調整処理のいずれも実行させないことを上記画質調整手段に指示することが好ましい。
【００２０】
上記構成によれば、ＯＳＤ画像が、表示部の表示領域の全体に表示されるものであるとき、画質調整処理のいずれについても実行しない。
【００２１】
これにより、ＯＳＤ画像が、表示部の表示領域の全体に表示される種類のものであるとき、画質調整処理が実行されない状態で重畳映像を表示部に表示させることができる。
【００２２】
従って、視認性が必要とされるＯＳＤ画像の視認性を保って表示することができる。また、不要な画質調整処理に伴う処理負荷を抑制することができる。
【００２３】
さらに、本発明に係る表示装置は、上記取得手段により取得したＯＳＤ種類情報が、上記ＯＳＤ画像が、上記表示部の表示領域の一部に表示され、上記表示部の表示領域に対する当該ＯＳＤ画像の表示領域の割合が所定値を超えるものであることを示すとき、上記調整指示手段は、上記画質調整処理のうち予め定められた一部のみを実行させることを上記画質調整手段に指示することが好ましい。
【００２４】
上記構成によれば、ＯＳＤ画像が、表示部の表示領域の一部に表示され、表示部の表示領域に対する当該ＯＳＤ画像の表示領域の割合が所定値を超えるものであるとき、画質調整処理のうち予め定められた一部のみを実行する。
【００２５】
これにより、ＯＳＤ画像が、表示部の表示領域の一部に表示され、表示部の表示領域に対する当該ＯＳＤ画像の表示領域の割合が所定値を超えるものであるとき、画質調整処理のうち予め定められた一部のみが実行された状態で重畳画像を表示部に表示させることができる。
【００２６】
従って、表示装置は、視認性が必要とされるＯＳＤ画像の視認性を大きく低下させることなく、また、画質を大きく低下させることなく、重畳映像を表示することができる。
【００２７】
さらに、本発明に係る表示装置は、上記取得手段により取得したＯＳＤ種類情報が、上記ＯＳＤ画像が、上記表示部の表示領域に対する当該ＯＳＤ画像の表示領域の割合が所定値以下のものであることを示すとき、上記調整指示手段は、上記画質調整処理の全てを実行させることを上記画質調整手段に指示することが好ましい。
【００２８】
上記構成によれば、ＯＳＤ画像が、表示部の表示領域に対する当該ＯＳＤ画像の表示領域の割合が所定値以下のものであるとき、画質調整処理の全てを実行する。
【００２９】
これにより、ＯＳＤ画像が、表示部の表示領域に対する当該ＯＳＤ画像の表示領域の割合が所定値以下のものであるとき、画質調整処理の全てが実行された状態で重畳映像を表示部に表示させることができる。
【００３０】
従って、表示装置は、高い視認性が必要とされないＯＳＤ画像が含まれている場合、画質を低下させることなく重畳映像を表示することができる。
【００３１】
上記の課題を解決するために、本発明に係る送信装置は、所定映像にＯＳＤ画像を重畳させて得られる重畳映像を表示する表示部を備える表示装置に、上記重畳映像を表す映像信号を送信する送信装置であって、上記重畳映像を表す映像信号を生成する映像信号生成手段と、上記映像信号生成手段が生成した映像信号で表わされる上記重畳映像に含まれる上記ＯＳＤ画像の種類を示すＯＳＤ種類情報を上記表示装置に送信する送信手段とを備え、上記表示装置に、上記送信されたＯＳＤ種類情報に応じた画質で、上記重畳映像を上記表示部に表示させることを特徴としている。
【００３２】
また、本発明に係る送信装置の制御方法は、所定映像にＯＳＤ画像を重畳させて得られる重畳映像を表示する表示部を備える表示装置に、上記重畳映像を表す映像信号を送信する送信装置の制御方法であって、上記重畳映像を表す映像信号を生成する映像信号生成ステップと、上記映像信号生成ステップにて生成した映像信号で表わされる上記重畳映像に含まれる上記ＯＳＤ画像の種類を示すＯＳＤ種類情報を上記表示装置に送信する送信ステップとを含み、上記表示装置に、上記送信されたＯＳＤ種類情報に応じた画質で、上記重畳映像を上記表示部に表示させることを特徴としている。
【００３３】
上記構成によれば、所定映像にＯＳＤ画像を重畳させて重畳映像を表す映像信号を生成するとともに、上記重畳映像に含まれるＯＳＤ画像の種類を示すＯＳＤ種類情報を表示装置に送信する。
【００３４】
これにより、ＯＳＤ画像の種類に応じた画質で重畳映像を表示装置に表示させることができる。
【００３５】
ここで、ＯＳＤ画像には、例えば、メニュー画面、音量調節バー、チャンネルコールなどのように、表示サイズの異なる複数の種類が存在し、ＯＳＤ画像の種類に応じて、表示部の表示領域に対するＯＳＤ画像の表示領域の割合が定まる。そして、ＯＳＤ画像の表示領域の割合が大きいときは、ＯＳＤ画像の視認性を低下させないためには画質を調整しないことが好ましく、また、ＯＳＤ画像の表示領域の割合が小さいときは、ＯＳＤ画像の視認性よりも画質を優先することが好ましい。
【００３６】
そこで、例えば、ＯＳＤ画像の種類が、表示領域の割合が大きいものであるときは、表示装置に、画質を調整せずに重畳映像を表示させる。また、例えば、ＯＳＤ画像の種類が、表示領域の割合が小さいものであるときは、表示装置に、画質を高めるように調整した上で重畳映像を表示させる。
【００３７】
このように、ＯＳＤ画像の種類に応じた画質で重畳映像を表示装置に表示させることができるので、視認性が必要とされるＯＳＤ画像の視認性の低下を抑制しつつ、ＯＳＤ画像を含む映像の画質を適切に調整させることができる。
【００３８】
さらに、本発明に係る送信装置において、上記送信手段は、上記重畳映像に含まれる上記ＯＳＤ画像の種類が変わる度に、上記ＯＳＤ種類情報を上記表示装置に送信してもよい。
【００３９】
上記構成によれば、ＯＳＤ画像の種類が変わったことをトリガとして、ＯＳＤ種類情報を表示装置に送信する。
【００４０】
これにより、ＯＳＤ画像の種類が変化したとき、遅滞無く、変化後のＯＳＤ画像の種類に応じた画質で重畳映像を表示装置に表示させることができる。
【００４１】
さらに、本発明に係る送信装置において、上記送信手段は、所定周期で、上記ＯＳＤ種類情報を、上記表示装置に送信してもよい。
【００４２】
上記構成によれば、所定周期で、ＯＳＤ種類情報を表示装置に送信する。
【００４３】
これにより、表示装置が所定周期で知り得たＯＳＤ画像の種類に応じた画質で重畳映像を表示させることができる。
【００４４】
また、本発明に係る表示システムは、上記表示装置と、上記送信装置とを含むことを特徴としている。
【００４５】
上記構成によれば、送信装置は、所定映像にＯＳＤ画像を重畳させて重畳映像を表す映像信号を生成するとともに、該重畳映像に含まれるＯＳＤ画像の種類を示すＯＳＤ種類情報を表示装置に送信する。そして、表示装置は、取得したＯＳＤ種類情報に基づき、送信装置から受信した映像信号で表される重畳映像に含まれるＯＳＤ画像の種類に応じた画質で、重畳映像を表示部に表示させる。
【００４６】
これにより、表示装置は、ＯＳＤ画像の種類に応じた画質で重畳映像を表示部に表示させることができる。
【００４７】
従って、視認性が必要とされるＯＳＤ画像の視認性の低下を抑制しつつ、ＯＳＤ画像を含む映像の画質を適切に調整することができる。
【００４８】
なお、上記表示装置および上記送信装置は、コンピュータによって実現してもよく、この場合には、コンピュータを上記各手段として動作させることにより上記表示装置および上記送信装置をコンピュータにて実現させる上記表示装置および上記送信装置の制御プログラム、およびそれを記録したコンピュータ読み取り可能な記録媒体も、本発明の範疇に入る。
【発明の効果】
【００４９】
以上のように、本発明に係る表示装置は、所定映像にＯＳＤ画像を重畳させて得られる重畳映像を表す映像信号を送信装置から受信し、該受信した映像信号で表される重畳映像を表示部に表示させる表示制御手段を備える表示装置であって、上記ＯＳＤ画像の種類を示すＯＳＤ種類情報を上記送信装置から取得する取得手段を備え、上記表示制御手段は、上記取得手段が取得したＯＳＤ種類情報に応じた画質で、上記重畳映像を上記表示部に表示させる。
【００５０】
また、本発明に係る表示装置の制御方法は、所定映像にＯＳＤ画像を重畳させて得られる重畳映像を表す映像信号を送信装置から受信し、該受信した映像信号で表される重畳映像を表示部に表示させる表示制御ステップを含む表示装置の制御方法であって、上記ＯＳＤ画像の種類を示すＯＳＤ種類情報を上記送信装置から取得する取得ステップを含み、上記表示制御ステップは、上記取得ステップにて取得したＯＳＤ種類情報に応じた画質で、上記重畳映像を上記表示部に表示させる。
【００５１】
さらに、本発明に係る送信装置は、所定映像にＯＳＤ画像を重畳させて得られる重畳映像を表示する表示部を備える表示装置に、上記重畳映像を表す映像信号を送信する送信装置であって、上記所定映像に上記ＯＳＤ画像を重畳させて上記重畳映像を表す映像信号を生成する映像信号生成手段と、上記映像信号生成手段が上記所定映像に重畳させた上記ＯＳＤ画像の種類を示すＯＳＤ種類情報を上記表示装置に送信する送信手段とを備え、上記表示装置に、上記送信されたＯＳＤ種類情報に応じた画質で、上記重畳映像を上記表示部に表示させる。
【００５２】
また、本発明に係る送信装置の制御方法は、所定映像にＯＳＤ画像を重畳させて得られる重畳映像を表示する表示部を備える表示装置に、上記重畳映像を表す映像信号を送信する送信装置の制御方法であって、上記所定映像に上記ＯＳＤ画像を重畳させて上記重畳映像を表す映像信号を生成する映像信号生成ステップと、上記映像信号生成ステップにて上記所定映像に重畳させた上記ＯＳＤ画像の種類を示すＯＳＤ種類情報を上記表示装置に送信する送信ステップとを含み、上記表示装置に、上記送信されたＯＳＤ種類情報に応じた画質で、上記重畳映像を上記表示部に表示させる。
【００５３】
よって、視認性が必要とされるＯＳＤ画像の視認性の低下を抑制しつつ、ＯＳＤ画像を含む映像の画質を適切に調整することができるという効果を奏する。
【図面の簡単な説明】
【００５４】
【図１】本発明の一実施形態に係る映像表示システムに含まれるセットトップボックスおよびディスプレイ装置の要部構成を示すブロック図である。
【図２】図１に示すディスプレイ装置における表示例を示す模式図であり、（ａ）は、ＯＳＤ画像が含まれていない場合の表示例を示す模式図であり、（ｂ）は、ＯＳＤ画像が表示領域の全体を占める場合の表示例を示す模式図であり、（ｃ）は、表示領域の一部にＯＳＤ画像が含まれている場合の表示例を示す模式図であり、（ｄ）は、表示領域の僅かな一部にＯＳＤ画像が含まれている場合の表示例を示す模式図である。
【図３】図１に示すセットトップボックスにおける処理の流れを示すフローチャートである。
【図４】図１に示すディスプレイ装置における処理の流れを示すフローチャートである。
【図５】図１に示すディスプレイ装置における、セットトップボックスとの接続が切断された場合の処理の流れを示すフローチャートである。
【図６】図１に示す映像表示システムにおける処理の流れの一例を示すシーケンス図である。
【発明を実施するための形態】
【００５５】
本発明の一実施形態について、図１〜図６に基づいて説明すると以下の通りである。なお、本発明は以下の記載に限定されるものではない。
【００５６】
〔映像表示システムの概要〕
本実施形態に係る映像表示システム（表示システム）３００は、送信装置と表示装置とを含んで構成されている。送信装置は、概説すると、表示装置の表示部に表示させる映像を表す映像信号（以下、映像信号ＩＡと表記する）を表示装置に送信する装置である。一方、表示装置は、概説すると、送信装置から受信した映像信号ＩＡで表される映像を表示部に表示させる装置である。
【００５７】
ここで、映像信号ＩＡで表される映像は、（Ａ）テレビ番組等の映像コンテンツそのものであってＯＳＤ画像が重畳されていない映像（以下、原映像Ｐと表記する）である場合と、（Ｂ）原映像ＰにＯＳＤ画像を重畳させて得られる映像（以下、重畳映像と表記する）である場合とがある。
【００５８】
そして、上記（Ｂ）の重畳映像に重畳されているＯＳＤ画像を、次に示す３種類に分類する。（Ｂ１）表示部の表示領域の全体に表示されるもの、（Ｂ２）表示部の表示領域の一部に表示されており、表示部の表示領域に対するＯＳＤ画像の表示領域の割合が所定値を超えるもの、（Ｂ３）表示部の表示領域の一部に表示されており、表示部の表示領域に対するＯＳＤ画像の表示領域の割合が所定値以下のもの、である。なお、所定値とは、少なくとも０％より大きく５０％より小さい値である。
【００５９】
本明細書では、映像信号ＩＡで表される映像において、ＯＳＤ画像の種類が、上記（Ａ）、（Ｂ１）、（Ｂ２）、および（Ｂ３）のいずれであるかを示す情報を、「ＯＳＤ種類情報」と称して定義する。
【００６０】
具体的には、上記（Ａ）のとおりにＯＳＤ画像が重畳されていないときのＯＳＤ種類情報は「ＯＳＤ表示なし」と定義する。また、ＯＳＤ画像が上記（Ｂ１）であるときのＯＳＤ種類情報は「全画面ＯＳＤ」であると定義する。また、ＯＳＤ画像が上記（Ｂ２）であるときのＯＳＤ種類情報は「部分ＯＳＤ」と定義する。
【００６１】
そして、ＯＳＤ画像が上記（Ｂ３）であるときのＯＳＤ種類情報は「ＯＳＤ表示なし」と定義する。これは、表示領域の割合が小さいことから高い視認性が必要とされないＯＳＤ画像（例えば、音量調節バーやチャンネルコールなど）は、実質的に、重畳映像に重畳されていないものとして取り扱うためである。
【００６２】
なお、上記のように定義した「ＯＳＤ種類情報」は、表示部の表示領域に対するＯＳＤ画像の表示領域の割合を概括的に示した情報であるとも言える。
【００６３】
本実施形態では、映像表示システム３００の一例として、送信装置がセットトップボックス（以下、ＳＴＢと略記する）１００であり、受信装置がディスプレイ装置２００であるセパレート型のテレビシステムについて説明する。ただし、送信装置および受信装置はこれらに限定されず、例えば、ＨＤＭＩ（登録商標）端子等によって接続されたソース機器およびシンク機器であってもよい。その他、本発明は、映像信号ＩＡを出力する構成と、映像信号ＩＡで表される映像を表示する構成とを少なくとも備える映像表示システムに適用可能である。
【００６４】
また、ディスプレイ装置２００では、映像信号ＩＡで表される映像の画質を向上させるための、１または複数の画質調整処理を実行可能に構成されているものとする。画質調整処理とは、典型的には、エッジ強調処理、輝度調整処理、色調補正処理等であるが、これらに限定されるものではなく、画質を向上させる処理であればどのような処理であってもよい。画質調整処理のそれぞれは、パラメータを調整することによって実行可否を設定することができる。なお、ディスプレイ装置２００が実行する画質調整処理のそれぞれは、原映像ＰおよびＯＳＤ画像のそれぞれに対して個別に施されるものではなく、映像信号ＩＡで表される映像の全体に対して施されるものであることに留意されたい。
【００６５】
なお、以下の図面において同一または相当する部分には、同一の参照番号を付すものとし、それらの説明は重複して行なわない。また、図面における長さ、大きさおよび幅などの寸法関係ならびに形状は、図面の明瞭化と簡略化のために適宜に変更されており、実際の寸法および形状を表してはいない。
【００６６】
〔ディスプレイ装置における表示例〕
まず、図２を参照しながら、ディスプレイ装置２００における表示例について説明する。図２は、ディスプレイ装置２００の表示部２０１（後述する）における表示例を示す模式図である。なお、図２では、ＯＳＤ画像には「Ｒ」を付記している。
【００６７】
図２（ａ）は、ＳＴＢ１００から受信した映像信号ＩＡで表される映像が原映像Ｐのみである（つまり、ＯＳＤ画像が含まれていない）場合の表示例を示す模式図である。この場合、ＯＳＤ画像が含まれていないため、ＯＳＤ画像の視認性については何ら考慮することなく、原映像Ｐの画質を向上させることができる。そのため、図２（ａ）に示す表示例では、ディスプレイ装置２００は、画質調整処理の全てを実行することによって映像信号ＩＡで表される映像の画質を調整するものとする。
【００６８】
なお、図２（ａ）に示す表示例の場合のＯＳＤ種類情報は「ＯＳＤ表示なし」である。つまり、ＯＳＤ種類情報が「ＯＳＤ表示なし」であるとき、ディスプレイ装置２００は、画質調整処理の全てを実行することによって映像信号ＩＡで表される映像の画質を調整する。
【００６９】
次に、図２（ｂ）は、ＳＴＢ１００から受信した映像信号ＩＡで表される映像に含まれるＯＳＤ画像が表示部２０１の表示領域の全体を占める場合の表示例を示す模式図である。この場合、原映像Ｐは表示されていないため、原映像Ｐの画質を考慮する必要はない。そのため、図２（ｂ）に示す表示例では、ディスプレイ装置２００は、画質調整処理の全てを一時停止して実行しない（いわゆるフラット化を行なう）。これにより、ＯＳＤ画像に画質調整処理が施されないので、ＯＳＤ画像の視認性の低下を防止することができる。
【００７０】
なお、図２（ｂ）に示す表示例の場合のＯＳＤ種類情報は「全画面ＯＳＤ」である。つまり、ＯＳＤ種類情報が「全画面ＯＳＤ」であるとき、ディスプレイ装置２００は、画質調整処理の全てを実行せず、映像信号ＩＡで表される映像の画質を調整しない。
【００７１】
次に、図２（ｃ）は、ＳＴＢ１００から受信した映像信号ＩＡで表される映像の表示領域の一部にＯＳＤ画像（例えば、Ｌ字型のメニュー画像など）が含まれている場合の表示例を示す模式図である。この場合、ＯＳＤ画像と原映像Ｐとが同時に表示部２０１に表示されるので、両者の視認性を考慮する必要がある。そのため、原映像Ｐの画質とＯＳＤ画像の視認性とをできるだけ両立させるために、ディスプレイ装置２００は、画質調整処理のうち、ＯＳＤ画像の視認性に影響を及ぼす画質調整処理（特に、文字の視認性を低下させることにつながるエッジ強調処理）を一時停止して実行せず、それ以外の画質調整処理を実行する。これにより、メニュー画面等の文字表示を主体とするＯＳＤ画像の視認性の低下を防止するとともに、原映像Ｐの画質の低下を抑制することができる。
【００７２】
なお、図２（ｃ）に示す表示例の場合のＯＳＤ種類情報は「部分ＯＳＤ」である。つまり、ＯＳＤ種類情報が「部分ＯＳＤ」であるとき、ディスプレイ装置２００は、画質調整処理のうち、ＯＳＤ画像の視認性に影響を及ぼす画質調整処理を実行せず、それ以外の画質調整処理を実行する。
【００７３】
次に、図２（ｄ）は、ＳＴＢ１００から受信した映像信号ＩＡで表される映像の表示領域の僅かな一部にＯＳＤ画像が含まれている場合の表示例を示す模式図である。一部の表示領域にＯＳＤ画像が含まれている点において、図２（ｃ）に示す表示例と共通しているが、ＯＳＤ画像の表示領域が所定割合以下である点において、図２（ｃ）に示す表示例と異なる。
【００７４】
図２（ｄ）に示す表示例におけるＯＳＤ画像は、多くの文字を含むメニュー画面と異なり、表示領域が小さく、高い視認性が必要とされないものであるとする。例えば、チャンネルコールや音量調節バーなどである。この場合、ＯＳＤ画像の視認性を向上させるために、表示部２０１の表示領域の大半を占める原映像Ｐの画質を低下させることはユーザにとって好ましくない。そのため、図２（ｄ）に示す表示例においては、原映像Ｐの画質の向上を優先するために、ディスプレイ装置２００は、図２（ａ）に示す表示例と同様に、画質調整処理の全てを実行することによって映像信号ＩＡで表される映像の画質を調整する。
【００７５】
この場合、図２（ｄ）に示す表示例の場合のＯＳＤ種類情報は「ＯＳＤ表示なし」である。
【００７６】
〔ＳＴＢの構成〕
次に、図１を参照しながら、ＳＴＢ１００およびディスプレイ装置２００の要部構成について説明する。図１は、ＳＴＢ１００およびディスプレイ装置２００の要部構成を示す機能ブロック図である。以下では、まず、ＳＴＢ１００の構成について説明する。
【００７７】
ＳＴＢ１００は、図１に示すとおり、操作部１０１、第１通信部１０２、第２通信部１０３、制御部１０４、および記憶部１０５を備えて成る構成である。
【００７８】
操作部１０１は、映像表示システム３００のユーザの操作を受け付け、該操作に応じた指示信号を後述する操作判定部１０４１に送信する。操作部１０１は、典型的には、ＳＴＢ１００に設けられた操作キーやリモコンなどであるが、ユーザの操作を受け付けるものであれば特に限定されない。
【００７９】
なお、ユーザの操作の典型例としては、（操作１）ディスプレイ装置２００の表示領域の全体に映像のみを表示させる操作、（操作２）ディスプレイ装置２００の表示領域の全体にメニュー画面などのＯＳＤ画像のみを表示させる操作、（操作３）ディスプレイ装置２００の表示領域の一部に、表示領域の割合が所定値を超えるＯＳＤ画像（メニュー画面など）を表示させる操作、（操作４）ディスプレイ装置２００の表示領域の一部に、表示領域の割合が所定値以下であるＯＳＤ画像（音量調節バーやチャンネルコールなど）を表示させる操作、などが挙げられる。
【００８０】
次に、第１通信部１０２は、後述する画像重畳部（映像信号生成手段）１０４３から送信される映像信号ＩＡ、および、後述するＯＳＤ画像管理部（送信手段）１０４２から送信されるＯＳＤ種類情報を、ディスプレイ装置２００に送信するための通信インタフェースである。
【００８１】
なお、第１通信部１０２が送信するＯＳＤ種類情報は、第１通信部１０２が現在送信中の映像信号ＩＡで表される映像に含まれるＯＳＤ画像の表示状態を示すものであることが望ましい。そのため、第１通信部１０２には、ＯＳＤ画像管理部１０４２から送信されるＯＳＤ種類情報と、画像重畳部１０４３から送信される映像信号ＩＡとのタイミングを調整するための遅延素子が適宜含まれていることが望ましい。
【００８２】
次に、第２通信部１０３は、図示しない外部装置から供給される映像を受信するための通信インタフェースである。特に、第２通信部１０３は、図示しないテレビジョン放送局などの放送系ソースから供給される、地上デジタル放送、ＣＳ放送、ＢＳ放送などの放送波を受信する。そして、第２通信部１０３は、受信した放送波を、後述する復調処理部１０４４に送信する。
【００８３】
なお、第２通信部１０３が受信する映像は放送波に限定されるものではなく、ＩＰＴＶやＶＯＤ（Video On Demand）などの通信系ソース、ハードディスクドライブや光ディスクドライブなどの媒体系ソース、又は、ウェブブラウザやＵＳＢ（Universal Serial Bus）アプリケーション（ＵＳＢメモリに格納されたコンテンツを再生するアプリケーション）などのアプリケーション系ソースから供給される映像であってもよい。
【００８４】
次に、記憶部１０５は、制御部１０４が実行する制御プログラム、ＯＳ（Operation System）プログラム、制御部１０４がＳＴＢ１００が有する各種機能を実行するためのアプリケーションプログラム、および、該アプリケーションプログラムを実行するときに読み出す各種データを記憶するものである。さらには、制御部１０４が各種機能を実行する仮定で演算に使用するデータおよび演算結果を記憶するものである。記憶部１０５は、ＲＯＭ（read only memory）、ＥＰＲＯＭ（Erasable Programmable ROM）、ＥＥＰＲＯＭ（Electrically EPROM）、ＨＤＤ（Hard Disc Drive）等の不揮発性記憶装置、および、ＲＡＭ（Random Access Memory）等の揮発性記憶装置によって実現されてもよい。本実施形態において、記憶部１０５は、ＯＳＤ画像記憶部１０５１を備える構成である。ＯＳＤ画像記憶部１０５１は、ＯＳＤ画像を記憶する記憶領域である。なお、ＯＳＤ画像記憶部１０５１には、１または複数の種類のＯＳＤ画像が格納されているものとする。
【００８５】
次に、制御部１０４は、ＳＴＢ１００が備える各種部材の機能を統括し、ＳＴＢ１００の駆動を制御するものである。制御部１０４は、例えば、ＣＰＵ（central processing unit）等で実現され、ＳＴＢ１００が備える機能は、制御部１０４としてのＣＰＵが、ＲＯＭ等に記憶されているプログラムを、ＲＡＭ等に読み出して実行することで実現される。制御部１０４が実現する各種機能について、以下に詳細に説明する。
【００８６】
〔ＳＴＢの制御部の構成〕
制御部１０４は、図１に示すとおり、操作判定部１０４１、ＯＳＤ画像管理部１０４２、画像重畳部１０４３、および復調処理部１０４４を備える構成である。
【００８７】
操作判定部１０４１は、ユーザから受け付けた操作を判定するものである。具体的には、操作判定部１０４１は、操作部１０１から受信した指示信号に基づいて、ユーザの操作を判定する。操作判定部１０４１は、例えば、ユーザの操作が上述の（操作１）〜（操作４）のいずれであるかを判定する。
【００８８】
次に、ＯＳＤ画像管理部１０４２は、所定トリガに応じて、原映像ＰにＯＳＤ画像を重畳させるか否かを決定するとともに、原映像ＰにＯＳＤ画像を重畳させる場合は、ＯＳＤ画像を取得するものである。所定トリガの典型例は、ユーザの操作であるが、アプリケーションプログラム等によってトリガが与えられる構成であってもよいし、時間経過によるトリガが与えられる構成であってもよい。ユーザの操作をトリガとする場合、ＯＳＤ画像管理部１０４２は、操作判定部１０４１が判定した操作に応じて原映像ＰにＯＳＤ画像を重畳させるか否かを決定するとともに、原映像ＰにＯＳＤ画像を重畳させる場合は、ＯＳＤ画像をＯＳＤ画像記憶部１０５１から取得し、該取得したＯＳＤ画像を画像重畳部１０４３に送信する。
【００８９】
より具体的には、操作判定部１０４１が判定した操作が上記（操作２）〜（操作４）である場合、ＯＳＤ画像管理部１０４２は、原映像ＰにＯＳＤ画像を重畳させることを決定するとともに、上記（操作２）〜（操作４）のとおりにＯＳＤ画像をディスプレイ装置２００に表示させるために、表示すべきＯＳＤ画像をＯＳＤ画像管理部１０４２から取得する。なお、操作判定部１０４１が判定した操作が上記（操作１）である場合、ＯＳＤ画像管理部１０４２は、原映像ＰにＯＳＤ画像を重畳させないことを決定し、ＯＳＤ画像を取得しない。
【００９０】
また、ＯＳＤ画像管理部１０４２は、上記取得したＯＳＤ画像に応じたＯＳＤ種類情報を、第１通信部１０２を介してディスプレイ装置２００に送信する。なお、ＯＳＤ画像が定まれば、ＯＳＤ画像の表示領域から、ＯＳＤ種類情報が「全画面ＯＳＤ」であるか、または「部分ＯＳＤ」であるかを一意に定めることができ、原映像Ｐに重畳させるＯＳＤ画像のＯＳＤ種類情報を管理することができる。
【００９１】
一方、ＯＳＤ画像を取得しない場合、ＯＳＤ画像管理部１０４２は、「ＯＳＤ表示なし」のＯＳＤ種類情報を、第１通信部１０２を介してディスプレイ装置２００に送信する。
【００９２】
なお、必ずしも操作部１０１にてユーザの操作を受け付けたことをトリガとしてＯＳＤ種類情報を送信する必要は無く、例えば、次に示すいずれであってもよい。
【００９３】
（トリガ１）ＯＳＤ画像を新たに重畳するときに、ＯＳＤ種類情報を送信する。（トリガ２）重畳するＯＳＤ画像の種類が変わる毎に、ＯＳＤ種類情報を送信する。（トリガ３）所定周期（いわゆる定期通信）で、画像重畳部１０４３にて重畳中のＯＳＤ画像についてのＯＳＤ種類情報を送信する。
【００９４】
また、ディスプレイ装置２００からＯＳＤ種類情報が要求される構成である場合、ＯＳＤ画像管理部１０４２は、該要求に応じて、画像重畳部１０４３にて重畳中のＯＳＤ画像の種類を示すＯＳＤ種類情報を送信する構成であってもよい。
【００９５】
次に、復調処理部１０４４は、第２通信部１０３が受信した放送波を復調することによって、原映像Ｐを表す信号（以下、映像信号ＩＢと表記する）を生成する。そして、復調処理部１０４４は、該生成した映像信号ＩＢを、画像重畳部１０４３に送信する。
【００９６】
次に、画像重畳部１０４３は、映像信号ＩＢから映像信号ＩＡを生成するものである。まず、ＯＳＤ画像管理部１０４２からＯＳＤ画像を受信した場合、画像重畳部１０４３は、該受信したＯＳＤ画像と、復調処理部１０４４から受信した映像信号ＩＢで表される原映像Ｐとを重畳することによって得られる重畳映像を表す映像信号ＩＡを生成する。一方、ＯＳＤ画像管理部１０４２からＯＳＤ画像を受信しない場合、画像重畳部１０４３は、復調処理部１０４４から受信した映像信号ＩＢをそのまま映像信号ＩＡとする。そして、画像重畳部１０４３は、映像信号ＩＡを、第１通信部１０２を介してディスプレイ装置２００に送信する。
【００９７】
〔ディスプレイ装置の構成〕
次に、ディスプレイ装置２００の構成について説明する。ディスプレイ装置２００は、図１に示すとおり、表示部２０１、通信部２０２、制御部２０３、および記憶部２０４を備えて成る構成である。
【００９８】
表示部２０１は、制御部２０３の指示に基づいて画像を表示する表示装置である。表示部２０１は、特に、通信部２０２を介してＳＴＢ１００から受信した映像信号ＩＡで表される映像を表示する。なお、表示部２０１に表示される画像は動画像に限らず、静止画像であってもよい。また、アプリケーションプログラムから供給される映像信号に基づくＵＩ（ユーザインタフェース）であってもよい。表示部２０１は、例えば、ＬＣＤ（液晶ディスプレイ）等の表示パネルによって実現される。
【００９９】
次に、通信部２０２は、ＳＴＢ１００から、映像信号ＩＡ、およびＯＳＤ種類情報を受信する通信インタフェースである。また、通信部２０２は、ＳＴＢ１００との通信が切断されたことを検知する機能を有している。
【０１００】
次に、記憶部２０４は、ディスプレイ装置２００の制御部２０３が実行する制御プログラム、ＯＳプログラム、制御部２０３がディスプレイ装置２００が有する各種機能を実行するためのアプリケーションプログラム、および、該アプリケーションプログラムを実行するときに読み出す各種データを記憶するものである。さらには、制御部２０３が各種機能を実行する仮定で演算に使用するデータおよび演算結果を記憶するものである。その他、ＳＴＢ１００における記憶部１０５と同様である。
【０１０１】
次に、制御部２０３は、ディスプレイ装置２００が備える各種部材の機能を統括し、ディスプレイ装置２００の駆動を制御するものである。制御部２０３は、例えば、ＣＰＵ等で実現され、ディスプレイ装置２００が備える機能は、制御部２０３としてのＣＰＵが、ＲＯＭ等に記憶されているプログラムを、ＲＡＭ等に読み出して実行することで実現される。制御部２０３が実現する各種機能について、以下に詳細に説明する。
【０１０２】
〔ディスプレイ装置の制御部の構成〕
制御部２０３は、図１に示すとおり、映像信号受信部２０３１、ＯＳＤ種類情報取得部（取得手段）２０３２、調整指示部（調整指示手段）２０３３、画質調整部（画質調整手段）２０３４、および表示制御部（表示制御手段）２０３５を備える構成である。
【０１０３】
映像信号受信部２０３１は、ＳＴＢ１００から通信部２０２を介して映像信号ＩＡを受信するものである。そして、映像信号受信部２０３１は、該受信した映像信号ＩＡを画質調整部２０３４に送信する。
【０１０４】
次に、ＯＳＤ種類情報取得部２０３２は、ＳＴＢ１００から通信部２０２を介してＯＳＤ種類情報を取得するものである。そして、ＯＳＤ種類情報取得部２０３２は、該取得したＯＳＤ種類情報を調整指示部２０３３に送信する。なお、ＯＳＤ種類情報取得部２０３２は、通信部２０２を介してＳＴＢ１００に所定周期でＯＳＤ種類情報を要求することによってＯＳＤ種類情報を取得する構成であってもよい。
【０１０５】
次に、調整指示部２０３３は、ＯＳＤ種類情報取得部２０３２から受信したＯＳＤ種類情報に従って、画質調整部２０３４に対して、画質調整処理のそれぞれを実行させるか否かを指示するものである。具体的には、調整指示部２０３３は、ＯＳＤ種類情報取得部２０３２から受信したＯＳＤ種類情報が、「ＯＳＤ表示なし」、「全画面ＯＳＤ」、および「部分ＯＳＤ」のいずれであるのかを判定する。そして、判定した結果、今回受信したＯＳＤ種類情報が、前回に受信したＯＳＤ種類情報から変更されている場合、今回受信したＯＳＤ種類情報に基づき、画質調整部２０３４に対し、画質調整処理のそれぞれを実行するか否かを指示する。
【０１０６】
より具体的には、調整指示部２０３３は、今回受信したＯＳＤ種類情報が「ＯＳＤ表示なし」である場合は、画質調整処理の全てを実行する旨を画質調整部２０３４に指示する。また、今回受信したＯＳＤ種類情報が「全画面ＯＳＤ」である場合は、画質調整処理の全てを一時停止して実行しない旨を画質調整部２０３４に指示する。また、今回受信したＯＳＤ種類情報が「部分ＯＳＤ」である場合は、画質調整処理のうち予め定められた一部（例えば、文字の視認性を低下させる処理であるエッジ強調処理）のみを一時停止して実行せず、その他は停止せずに実行する旨を、画質調整部２０３４に指示する。
【０１０７】
次に、画質調整部２０３４は、ＯＳＤ種類情報に応じて、映像信号ＩＡによって表される映像の画質を調整するための、１または複数の画質調整処理を実行できるように構成されている。そして、画質調整部２０３４は、調整指示部２０３３により実行が指示された画質調整処理のみを実行する（つまり、その他の画質調整処理の実行を一時停止する）ことによって、映像信号受信部２０３１から受信する映像信号ＩＡで表される映像の画質を調整する。
【０１０８】
なお、調整指示部２０３３により画質調整処理の全てを実行しないことが指示された場合、画質調整部２０３４は、全ての画質調整処理の実行を一時停止するとともに、映像信号受信部２０３１から受信する映像信号ＩＡをそのまま表示制御部２０３５に出力する。
【０１０９】
また、画質調整部２０３４は、通信部２０２がＳＴＢ１００との通信が切断されたことを検知したときは、現在一時停止中の画質調整処理を実行するように画質調整部２０３４に指示する。具体的には、画質調整処理を全て一時停止中（フラット化中）である場合、調整指示部２０３３は、全ての画質調整処理を実行する旨を画質調整部２０３４に指示する（フラット化を解除する）。また、一部の画質調整処理のみを一時停止中である場合、調整指示部２０３３は、現在一時停止されている画質調整処理を実行する旨を、画質調整部２０３４に指示する。
【０１１０】
次に、表示制御部２０３５は、制御部２０３によって処理された各種情報を表示部２０１において可視化するために、表示部２０１に対し、当該各種情報を画像として表示するための信号を出力するものである。特に、画質調整部２０３４によって画質調整処理が施された画質で、映像信号ＩＡで表される映像を、逐次、表示部２０１に出力する。
【０１１１】
〔ＳＴＢにおける処理の流れ〕
次に、図３を参照しながら、ＳＴＢ１００における処理の流れについて説明する。図３は、ＳＴＢ１００における処理の流れを示すフローチャートである。
【０１１２】
まず、操作部１０１にてユーザの操作を受け付けると（ステップ（以下では単に「Ｓ」と表記する）３０１にてＹＥＳ）、ＯＳＤ画像管理部１０４２は、操作判定部１０４１が判定した操作に応じて原映像ＰにＯＳＤ画像を重畳させるか否かを決定する（Ｓ３０２）。
【０１１３】
そして、原映像ＰにＯＳＤ画像を重畳させないことが決定されると（Ｓ３０２においてＮＯ）、ＯＳＤ画像管理部１０４２によりＯＳＤ画像を取得することなく、画像重畳部１０４３は、復調処理部１０４４から受信した映像信号ＩＢをそのまま映像信号ＩＡとする（Ｓ３０３）。
【０１１４】
そして、画像重畳部１０４３により、映像信号ＩＡを第１通信部１０２を介してディスプレイ装置２００に送信するとともに、ＯＳＤ画像管理部１０４２により、「ＯＳＤ表示なし」を示すＯＳＤ種類情報を第１通信部１０２を介してディスプレイ装置２００に送信する（Ｓ３０４）（送信ステップ）。
【０１１５】
一方、原映像ＰにＯＳＤ画像を重畳させることが決定されると（Ｓ３０２においてＹＥＳ）、ＯＳＤ画像の種類に応じた処理を実行する。
【０１１６】
まず、上記（操作２）のとおり、ディスプレイ装置２００の表示領域の全体にＯＳＤ画像を表示させる場合（Ｓ３０５にて「全面に表示」）、ＯＳＤ画像管理部１０４２は、当該表示すべきＯＳＤ画像をＯＳＤ画像記憶部１０５１から取得する（Ｓ３０６）。続いて、画像重畳部１０４３は、ＯＳＤ画像管理部１０４２が取得したＯＳＤ画像と、復調処理部１０４４から受信した映像信号ＩＢで表される原映像Ｐとを重畳することによって得られる重畳映像を表す映像信号ＩＡを生成する（Ｓ３０７）（映像信号生成ステップ）。そして、画像重畳部１０４３により、映像信号ＩＡを第１通信部１０２を介してディスプレイ装置２００に送信するとともに、ＯＳＤ画像管理部１０４２により、「全画面ＯＳＤ」を示すＯＳＤ種類情報を第１通信部１０２を介してディスプレイ装置２００に送信する（Ｓ３０８）（送信ステップ）。
【０１１７】
一方、上記（操作３）のとおり、ディスプレイ装置２００の表示領域の一部に、表示領域の割合が所定値を超えるＯＳＤ画像を表示させる場合（Ｓ３０５にて「一部に大きく表示」）、ＯＳＤ画像管理部１０４２は、当該表示すべきＯＳＤ画像をＯＳＤ画像記憶部１０５１から取得する（Ｓ３０９）。続いて、画像重畳部１０４３は、ＯＳＤ画像管理部１０４２が取得したＯＳＤ画像と、復調処理部１０４４から受信した映像信号ＩＢで表される原映像Ｐとを重畳することによって得られる重畳映像を表す映像信号ＩＡを生成する（Ｓ３１０）（映像信号生成ステップ）。そして、画像重畳部１０４３により、映像信号ＩＡを第１通信部１０２を介してディスプレイ装置２００に送信するとともに、ＯＳＤ画像管理部１０４２により、「部分ＯＳＤ」を示すＯＳＤ種類情報を第１通信部１０２を介してディスプレイ装置２００に送信する（Ｓ３１１）（送信ステップ）。
【０１１８】
さらに、上記（操作４）のとおり、ディスプレイ装置２００の表示領域の一部に、表示領域の割合が所定値以下であるＯＳＤ画像を表示させる場合（Ｓ３０５にて「一部に小さく表示」）、ＯＳＤ画像管理部１０４２は、当該表示すべきＯＳＤ画像をＯＳＤ画像記憶部１０５１から取得する（Ｓ３１２）。続いて、画像重畳部１０４３は、ＯＳＤ画像管理部１０４２が取得したＯＳＤ画像と、復調処理部１０４４から受信した映像信号ＩＢで表される原映像Ｐとを重畳することによって得られる重畳映像を表す映像信号ＩＡを生成する（Ｓ３１３）（映像信号生成ステップ）。そして、画像重畳部１０４３により、映像信号ＩＡを第１通信部１０２を介してディスプレイ装置２００に送信するとともに、ＯＳＤ画像管理部１０４２により、「ＯＳＤ表示なし」を示すＯＳＤ種類情報を第１通信部１０２を介してディスプレイ装置２００に送信する（Ｓ３１４）（送信ステップ）。
【０１１９】
なお、ステップＳ３０４、Ｓ３０８、Ｓ３１１、Ｓ３１４におけるＯＳＤ種類情報の送信処理は、所定周期（例えば、数秒間隔の定期通信）で行われる構成であってもよい。これにより、ユーザの操作等の外部からのトリガを必要とせず、ＯＳＤ画像の変化に柔軟に対応することができる。
【０１２０】
〔ディスプレイ装置における処理の流れ〕
続いて、図４を参照しながら、ディスプレイ装置２００における処理の流れについて説明する。図４は、ディスプレイ装置２００における処理の流れを示すフローチャートである。
【０１２１】
まず、映像信号受信部２０３１がＳＴＢ１００から映像信号ＩＡを受信するとともに、ＯＳＤ種類情報取得部２０３２がＳＴＢ１００からＯＳＤ種類情報を取得する（Ｓ４０１）（取得ステップ）。具体的には、映像信号受信部２０３１は、通信部２０２を介してＳＴＢ１００から映像信号ＩＡを受信する。該受信された映像信号ＩＡは画質調整部２０３４に送信される。また、ＯＳＤ種類情報取得部２０３２は、通信部２０２を介してＳＴＢ１００からＯＳＤ種類情報を取得する。該取得されたＯＳＤ種類情報は調整指示部２０３３に送信される。
【０１２２】
次に、調整指示部２０３３がＯＳＤ種類情報取得部２０３２から受信したＯＳＤ種類情報が、前回に受信したＯＳＤ種類情報から変更されていない場合（Ｓ４０２でＮＯ）、ステップＳ４０１に戻り、ＳＴＢ１００から映像信号ＩＡを受信するとともにＯＳＤ種類情報を取得する。
【０１２３】
一方、今回受信したＯＳＤ種類情報が前回受信したＯＳＤ種類情報から変更されている場合（Ｓ４０２でＹＥＳ）、調整指示部２０３３は、今回取得したＯＳＤ種類情報が、「ＯＳＤ表示なし」、「全画面ＯＳＤ」、および「部分ＯＳＤ」のいずれであるかに基づき、画質調整部２０３４に対し、画質調整処理のそれぞれを実行するか否かを指示する。
【０１２４】
具体的には、調整指示部２０３３は、ＯＳＤ種類情報が「ＯＳＤ表示なし」である場合（Ｓ４０３にて「ＯＳＤ表示なし」）、画質調整処理の全てを実行する旨を画質調整部２０３４に指示する。これにより、画質調整部２０３４は、全ての画質調整処理を実行して画質を調整する（Ｓ４０４）。
【０１２５】
一方、調整指示部２０３３は、ＯＳＤ種類情報が「全画面ＯＳＤ」である場合（Ｓ４０３にて「全画面ＯＳＤ」）、画質調整処理の全てを一時停止して実行しない旨を画質調整部２０３４に指示する。これにより、画質調整部２０３４は、全ての画質調整処理を一時停止し、画質の調整を行なわない（Ｓ４０５）。
【０１２６】
さらに、調整指示部２０３３は、ＯＳＤ種類情報が「部分ＯＳＤ」である場合（Ｓ４０３にて「部分ＯＳＤ」）、画質調整処理のうち予め定められた一部のみを一時停止して実行せず、その他は一時停止せずに実行する旨を、画質調整部２０３４に指示する。これにより、画質調整部２０３４は、指示された一部の画質調整処理を一時停止し、残りの画質調整処理にて画質を調整する（Ｓ４０６）。
【０１２７】
その後、表示制御部２０３５は、表示部２０１に、映像を表示させる（Ｓ４０７）（表示制御ステップ）。具体的には、表示制御部２０３５は、ステップＳ４０４〜Ｓ４０６のいずれかにおいて、画質調整部２０３４が出力した映像信号ＩＡで表される映像を、表示部２０１に表示する。
【０１２８】
なお、上述したステップＳ４０１でＯＳＤ種類情報取得部２０３２がＯＳＤ種類情報を取得するにあたり、ＯＳＤ種類情報取得部２０３２は、ＳＴＢ１００に対してＯＳＤ種類情報を所定周期で要求する構成であってもよい。これにより、ユーザの操作等の外部からのトリガを要せずとも、ＯＳＤ種類情報を取得することができる。
【０１２９】
〔作用効果〕
上述のように、ＳＴＢ１００は、ＯＳＤ画像をディスプレイ装置２００に表示させるにあたり、映像信号ＩＡとともに、ＯＳＤ画像の種類を示すＯＳＤ種類情報とを、ディスプレイ装置２００に送信する。
【０１３０】
そして、ディスプレイ装置２００は、ＳＴＢ１００から映像信号ＩＡとＯＳＤ種類情報とを受信し、該ＯＳＤ種類情報に基づいて、映像信号ＩＡで表される映像に対して、画質を向上させるための画質調整処理のそれぞれを実行するか否かを決定する構成である。具体的には、ＯＳＤ種類情報が「ＯＳＤ表示なし」である場合には、画質調整処理の全てを実行し、ＯＳＤ種類情報が「全画面ＯＳＤ」である場合には、画質調整処理の全てを一時停止して実行せず、ＯＳＤ種類情報が「部分ＯＳＤ」である場合には、ＯＳＤ画像の視認性に影響を及ぼす画質調整処理を一時停止して実行せず、それ以外の画質調整処理を実行する。
【０１３１】
これにより、ＯＳＤ画像が全画面に表示される状況においては、不要な画質調整処理によって該ＯＳＤ画像の視認性が低下することを防止することができる。一方、ＯＳＤ画像が一部に表示される状況においては、原映像Ｐの画質を大きく低下させることなく、ＯＳＤ画像を視認しやすく表示することができる。
【０１３２】
なお、音量調節バーやチャンネルコールなどのように、表示部の表示領域に対するＯＳＤ画像の表示領域の割合が小さく、高い視認性が必要とされない場合は、ＯＳＤ種類情報が「ＯＳＤ表示なし」である場合と同様に扱うため、高い視認性が必要とされないＯＳＤ画像のために原映像Ｐの画質を低下させることはない。
【０１３３】
以上により、視認性が必要とされるＯＳＤ画像の視認性の低下を抑制しつつ、ＯＳＤ画像を含む映像の画質を適切に調整することができる。
【０１３４】
〔通信切断時の処理の流れ〕
次に、図５を参照して、ＳＴＢ１００とディスプレイ装置２００との間の通信が切断された場合の、ディスプレイ装置２００における処理の流れを説明する。図５は、ＳＴＢ１００とディスプレイ装置２００との間の通信が切断された場合の、ディスプレイ装置２００における処理の流れを示すフローチャートである。
【０１３５】
まず、通信部２０２は、ＳＴＢ１００との通信が切断されたか否かを判定する（Ｓ５０１）。
【０１３６】
ＳＴＢ１００との通信が切断されていない場合（Ｓ５０１でＮＯ）、処理は終了し、図４に示すステップＳ４０１へ移行し、取得されたＯＳＤ種類情報に基づく画質調整処理が実行される。
【０１３７】
一方、ＳＴＢ１００との通信が切断された場合（Ｓ５０１でＹＥＳ）、調整指示部２０３３は、全ての画質調整処理を実行するように画質調整部２０３４に指示する。
【０１３８】
具体的には、まず、画質調整処理を全て一時停止中（フラット化中）である場合（Ｓ５０２でＹＥＳ）、調整指示部２０３３は、全ての画質調整処理を実行するように指示する（フラット化を解除する）（Ｓ５０３）。
【０１３９】
一方、全ての画質調整処理が一時停止中でなく（Ｓ５０２でＮＯ）、一部の画質調整処理のみが一時停止中である場合（Ｓ５０４でＹＥＳ）、調整指示部２０３３は、一時停止中の画質調整処理を実行するように指示する（Ｓ５０５）。
【０１４０】
一方、画質調整処理のいずれも一時停止中ではない場合（Ｓ５０４でＮＯ）は、現在既に全ての画質調整処理が実行されている状態であるため、画質調整処理の変更は行われずに処理が終了する。
【０１４１】
以上のように、ディスプレイ装置２００は、ＳＴＢ１００との通信が切断されたとき、画質調整処理の一時停止を解除する。
【０１４２】
〔処理シーケンス例〕
次に、図６を参照して、映像表示システム３００における処理シーケンスの一例について説明する。図６は、映像表示システム３００における処理の一例を示すシーケンス図である。同図は、映像表示システム３００における、ユーザの操作を受け付けたときの、ＯＳＤ画像管理部１０４２および画質調整部２０３４で行なわれる処理の様子を示している。
【０１４３】
まず、ディスプレイ装置２００は、画質調整部２０３４にて全ての画質調整処理を実行して画質を調整中であるものとする（Ｓ６０１）。つまり、ＯＳＤ画像は表示されておらず、ＳＴＢ１００のＯＳＤ画像管理部１０４２で管理しているＯＳＤ種類情報は「ＯＳＤ表示なし」であるものとする（Ｓ６０２）。なお、このときの表示部２０１には、図２（ａ）に示すように、表示領域の全体に原映像Ｐが表示されている。
【０１４４】
ここで、ユーザによって、表示領域の一部にメニュー画面を表示する操作が行なわれると（Ｓ６０３）、ＯＳＤ画像管理部１０４２は、当該メニュー画面のＯＳＤ画像を取得するため、この時点でのＯＳＤ種類情報は「部分ＯＳＤ」となる（Ｓ６０４）。
【０１４５】
その結果、ディスプレイ装置２００では、画質調整部２０３４がＯＳＤ画像の視認性に影響を及ぼす画質調整処理（エッジ強調処理等）を一時停止する（Ｓ６０５）。なお、ステップＳ６０５では、表示部２０１には、図２（ｃ）に示すように、メニュー画面を示すＯＳＤ画像と、原映像Ｐとが同時に表示されている。
【０１４６】
次に、ユーザによって、メニュー画面を全画面表示にする操作が行なわれると（Ｓ６０６）、ＯＳＤ画像管理部１０４２は、全画面表示用のメニュー画面のＯＳＤ画像を取得するため、この時点でのＯＳＤ種類情報は「全画面ＯＳＤ」となる（Ｓ６０７）。
【０１４７】
その結果、ディスプレイ装置２００では、画質調整部２０３４が全ての画質調整処理を一時停止（フラット化）する（Ｓ６０８）。なお、ステップＳ６０８では、表示部２０１には、図２（ｂ）に示すように、メニュー画面を示すＯＳＤ画像が表示領域の全体に表示されている。
【０１４８】
次に、ユーザによって、メニュー画面を非表示にして映像のみを表示する操作が行なわれると（Ｓ６０９）、ＯＳＤ画像は表示されなくなるため、この時点でのＯＳＤ種類情報は「ＯＳＤ表示なし」となる（Ｓ６１０）。
【０１４９】
その結果、ディスプレイ装置２００では、画質調整部２０３４が全ての画質調整処理を実行する（Ｓ６１１）。なお、ステップＳ６１１では、表示部２０１には、図２（ａ）に示すように、原映像Ｐが表示領域の全体に表示されている。
【０１５０】
次に、ユーザによって、映像を表示したまま音量調節を開始する操作が行われると（Ｓ６１２）、ＯＳＤ画像管理部１０４２は、音量調節バーのＯＳＤ画像を取得するため、この時点でのＯＳＤ種類情報は引き続き「ＯＳＤ表示なし」となる（Ｓ６１３）。
【０１５１】
その結果、ディスプレイ装置２００では、画質調整部２０３４は、引き続き、全ての画質調整処理の実行を継続する（Ｓ６１４）。なお、ステップＳ６１４では、表示部２０１には、図２（ｄ）に示すようなＯＳＤ画像が表示領域の一部に表示されている。
【０１５２】
次に、ユーザによって、音量調節を終了する操作が行われると（Ｓ６１５）、ＯＳＤ画像が表示されなくなるため、この時点でのＯＳＤ種類情報は引き続き「ＯＳＤ表示なし」となる（Ｓ６１６）。
【０１５３】
その結果、ディスプレイ装置２００では、画質調整部２０３４は、引き続き、全ての画質調整処理の実行を継続する（Ｓ６１７）。なお、ステップＳ６１７では、表示部２０１には、図２（ａ）に示すように、表示領域の全体に原映像Ｐが表示されている。
【０１５４】
〔まとめ〕
以上のように、本実施形態に係る映像表示システム３００は、送信装置としてのＳＴＢ１００と、表示装置としてのディスプレイ装置２００とを含み、ＳＴＢ１００は、映像信号ＩＡと、該映像信号ＩＡで表される映像におけるＯＳＤ画像の種別を示すＯＳＤ種別情報とを、ディスプレイ装置２００へ送信する。ディスプレイ装置２００は、受信したＯＳＤ種類情報に基づいて、映像信号ＩＡで表される映像の画質を向上させるための画質調整処理のそれぞれについて実行するか否かを決定し、該決定に基づいて実行される画質調整処理により調整された画質で、映像信号ＩＡで表される映像を表示部２０１に表示する。
【０１５５】
これにより、ディスプレイ装置２００は、ＳＴＢ１００から送信されるＯＳＤ種類情報を参照することで、例えば、ＯＳＤ画像が表示部２０１の表示領域の全体に表示される場合は、画質を向上させるための画質調整処理を全て実行しないことにより、ＯＳＤ画像の視認性を維持することができる。また、表示部２０１にＯＳＤ画像と映像との両方が表示される場合は、画質調整処理のうちＯＳＤ画像の視認性に影響を及ぼすもの（エッジ強調処理等）のみを実行しないことにより、映像の画質を大きく損なうことなくＯＳＤ画像の視認性を向上させることができる。なお、ＯＳＤ画像が音量バーまたはチャンネル画像のように、表示領域が極めて小さく、高い視認性が必要とされないＯＳＤ画像である場合は、ＯＳＤ画像が含まれない場合と同様の画質調整処理を実行する。
【０１５６】
従って、視認性が必要とされるＯＳＤ画像の視認性の低下を抑制しつつ、ＯＳＤ画像を含む映像の画質を適切に調整することが可能となる。
【０１５７】
なお、請求項に記載の映像信号は、地上デジタル放送、ＣＳ放送、ＢＳ放送などの放送系ソースから供給される映像信号に限定されない。例えば、ＩＰＴＶやＶＯＤなどの通信系ソース、ハードディスクドライブや光ディスクドライブなどの媒体系ソース、又は、ウェブブラウザやＵＳＢアプリケーション（ＵＳＢメモリに格納されたコンテンツを再生するアプリケーション）などのアプリケーション系ソースから供給される映像信号も、請求項に記載の映像信号の一例である。また、請求項に記載の映像信号は、動画像を表す映像信号に限定されず、静止画像を表す映像信号であってもよい。また、アプリケーション系ソースから供給される映像信号のように、ＵＩ（ユーザインタフェース）を表す映像信号であってもよい。
【０１５８】
〔ソフトウェアによる実現例〕
最後に、ＳＴＢ１００の制御部１０４、およびディスプレイ装置２００の制御部２０３の各ブロックは、集積回路（ＩＣチップ）上に形成された論理回路によってハードウェア的に実現してもよいし、ＣＰＵを用いてソフトウェア的に実現してもよい。
【０１５９】
後者の場合、ＳＴＢ１００およびディスプレイ装置２００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるＳＴＢ１００およびディスプレイ装置２００の制御プログラムのプログラムコード（実行形式プログラム、中間コードプログラム、ソースプログラム）をコンピュータで読み取り可能に記録した記録媒体を、ＳＴＢ１００およびディスプレイ装置２００に供給し、そのコンピュータ（またはＣＰＵやＭＰＵ）が記録媒体に記録されているプログラムコードを読み出し実行することによっても、達成可能である。
【０１６０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１６１】
また、ＳＴＢ１００およびディスプレイ装置２００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６２】
このように本明細書において、手段とは必ずしも物理的手段を意味するものではなく、各手段の機能がソフトウェアによって実現される場合も含む。さらに、１つの手段の機能が２つ以上の物理的手段により実現されても、もしくは２つ以上の手段の機能が１つの物理的手段により実現されてもよい。
【０１６３】
本発明は上述した実施形態に限定されるものではなく、請求項に示した範囲で種々の変更が可能であり、変形例として開示された技術的手段を適宜組み合わせて得られる実施形態についても本発明の技術的範囲に含まれる。
【産業上の利用可能性】
【０１６４】
本発明は、テレビ放送などの映像にＯＳＤ画像を重畳させた映像を表示するディスプレイ装置等に好適に適用できる。
【符号の説明】
【０１６５】
１００  ＳＴＢ（送信装置）
２００  ディスプレイ装置（表示装置）
２０１  表示部
３００  映像表示システム（表示システム）
１０４２  ＯＳＤ画像管理部（送信手段）
１０４３  画像重畳部（映像信号生成手段）
２０３２  ＯＳＤ種類情報取得部（取得手段）
２０３３  調整指示部（調整指示手段）
２０３４  画質調整部（画質調整手段）
２０３５  表示制御部（表示制御手段）
ＩＡ  映像信号
Ｐ  原映像（所定映像）
Ｒ  ＯＳＤ画像
【図１】
2013224984.tif 000003
【図２】
2013224984.tif 000004
【図３】
2013224984.tif 000005
【図４】
2013224984.tif 000006
【図５】
2013224984.tif 000007
【図６】
2013224984.tif 000008